(57)【要約】【課題】映像信号に基づいて各画素における消費電力の低減と高画質化とを図ることが可能な表示装置を提供する。【解決手段】複数の画素を有し映像を表示画面に表示する映像表示部と、映像信号に基づいて所定期間における輝度の最大値を検出するピーク検出部と、検出結果に基づいて第１電圧を規定する第１調整値を設定し、第１調整値と前第１調整値との間の変化値に基づいて第２調整値を設定する調整値設定部と、第１調整値に応じた第１電圧を画素へ供給する第１電圧供給部と、第２調整値に基づいて映像信号のゲインを調整するゲイン調整部と、調整された映像信号に基づく第２電圧を画素へ供給する第２電圧供給部とを備え、画素それぞれは、発光素子と、制御端子に印加される第２電圧と第１端子または第２端子に印加される第１電圧とに基づいて、第２電圧に応じた量の発光電流を発光素子へ印加するトランジスタとを有する表示装置が提供される。【選択図】図４
2009282158.tif 000002
【特許請求の範囲】
【請求項１】
マトリクス状に配置された複数の画素を有し、入力された映像信号に基づく映像を表示画面に表示する映像表示部と、
入力された前記映像信号に基づいて、所定期間における輝度の最大値を検出するピーク検出部と、
前記ピーク検出部の検出結果に基づいて前記画素を駆動させる第１電圧を規定する第１調整値を設定し、設定された前記第１調整値と前の所定期間において設定された第１調整値との間の変化値に基づいて、前記映像信号のゲインを調整する第２調整値を設定する調整値設定部と、
前記調整値設定部から出力される前記第１調整値に基づいて、前記第１調整値に応じた第１電圧を前記画素へ供給する第１電圧供給部と、
前記映像信号と前記調整値設定部から出力される前記第２調整値とに基づいて、前記映像信号のゲインを調整するゲイン調整部と、
前記ゲイン調整部において調整された映像信号に基づく第２電圧を前記画素へ供給する第２電圧供給部と、
を備え、
前記画素それぞれは、
電流量に応じて自発光する発光素子と、
第１端子が前記発光素子と接続され、制御端子に印加される前記第２電圧と、前記第１端子または第２端子に印加される前記第１電圧とに基づいて、前記第２電圧に応じた量の発光電流を前記発光素子へ印加するトランジスタと、
を有することを特徴とする、表示装置。
【請求項２】
前記調整値設定部は、映像信号の輝度と前記第１調整値、および前記変化値と前記第２調整値がそれぞれ対応付けられたルックアップテーブルを保持し、前記ピーク検出部の検出結果に応じて、前記第１調整値および前記第２調整値をそれぞれ一意に設定することを特徴とする、請求項１に記載の表示装置。
【請求項３】
前記映像信号に基づいて、輝度の平均を導出する平均輝度導出部をさらに備え、
前記調整値設定部は、前記ピーク検出部の検出結果と前記平均輝度導出部が導出した平均輝度とに基づいて、前記第１調整値を設定することを特徴とする、請求項１に記載の表示装置。
【請求項４】
前記ピーク検出部は、前記表示画面を複数の分割領域に分割して前記分割領域ごとに所定期間における輝度の最大値を検出し、
前記調整値設定部は、前記分割領域ごとに前記第１調整値と前記第２調整値とを設定することを特徴とする、請求項１に記載の表示装置。
【発明の詳細な説明】
【技術分野】
【０００１】
本発明は、表示装置に関する。
【背景技術】
【０００２】
近年、ＣＲＴディスプレイ（Cathode  Ray  Tube  display）に替わる表示装置として、有機ＥＬディスプレイ（organic  ElectroLuminescence  display。または、ＯＬＥＤディスプレイ（Organic  Light  Emitting  Diode  display）ともよばれる。）、ＦＥＤ（Field  Emission  Display。電界放出ディスプレイ）、ＬＣＤ（Liquid  Crystal  Display。液晶ディスプレイ）、ＰＤＰ（Plasma  Display  Panel。プラズマディスプレイ）など様々な表示装置が開発されている。
【０００３】
上記のような様々な表示装置のうち、有機ＥＬディスプレイは、エレクトロルミネッセンス現象（ElectroLuminescence）を利用した自発光型の表示装置である。有機ＥＬディスプレイは、例えば、ＬＣＤのように別途の光源を必要とする表示装置と比較すると、動画特性、視野角特性、色再現性などが優れていることから、次世代の表示装置として特に注目されている。ここで、エレクトロルミネッセンス現象とは、物質（有機ＥＬ素子）の電子状態が、電界によって基底状態（ground  state）から励起状態（excited  state）へ変化し、不安定な励起状態から安定した基底状態へと戻るときに、差分のエネルギーが光として放出される現象である。
【０００４】
このような中、映像信号に基づいて画素に印加される電圧を調整することにより消費電力の低減を図る技術が開発されている。映像信号のピーク値に基づいて有機ＥＬ素子のカソード電圧を調整することによって消費電力の低減を図る技術としては、例えば、特許文献１が挙げられる。
【０００５】
【特許文献１】特開２００６−６５１４８号公報
【発明の開示】
【発明が解決しようとする課題】
【０００６】
表示装置が、発光素子として有機ＥＬ素子を備える場合、映像を表示画面に表示する表示パネルを構成する各画素は、例えば、発光素子と、当該発光素子と接続されて発光素子への発光電流の印加を制御する駆動トランジスタとを備える。図１０は、画素回路の一例を概略的に示す説明図である。
【０００７】
図１０を参照すると、画素回路は、発光素子Ｄｉと、発光素子Ｄｉと接続された駆動トランジスタＴｒとを備え、当該画素回路には、画素回路を駆動させるための駆動電圧Ｖｄｄが印加される。また、駆動トランジスタＴｒには、ゲート端子（制御端子）に電圧Ｖｇが印加され、印加される電圧Ｖｇに応じた発光電流Ｉｄ（ドレイン電流）が流れる。したがって、表示装置は、駆動トランジスタＴｒのゲート端子に印加される電圧Ｖｇを映像信号に基づいて制御することによって、発光素子Ｄｉに流れる発光電流Ｉｄを映像信号に応じたものとすることができるので、映像信号に応じた階調を表現することができる。以下では、駆動トランジスタＴｒのゲート端子（制御端子）に印加される電圧Ｖｇを、「データ電圧Ｖｇ」とよぶ場合がある。
【０００８】
ここで、発光素子Ｄｉが有機ＥＬ素子である場合には、例えば、５［Ｖ］程度の電圧で動作させることができる。しかしながら、例えば駆動トランジスタＴｒがアモルファスシリコン（amorphous  silicon）で構成される場合には、駆動トランジスタＴｒは、発光素子Ｄｉよりも数倍高い電圧がドレイン−ソース間に掛からなければ安定的に動作することができない。ここで、例えば、発光素子Ｄｉを駆動させるための電圧Ｖｏｌｅｄ＝５［Ｖ］、発光電流Ｉｄ＝５［μＡ］、駆動トランジスタＴｒを駆動させるためのドレイン−ソース間の電圧Ｖｄｓ＝１５［Ｖ］とすると、発光素子Ｄ１０で消費される電力Ｐｏｌｅｄと、駆動トランジスタＴｒで消費される電力Ｐｔｆｔは、それぞれ以下のようになる。つまり、画素回路では、駆動トランジスタＴｒの方が発光素子Ｄｉよりも数倍（下記の場合には３倍）の電力が消費されることとなる。
・Ｐｏｌｅｄ＝５［Ｖ］×５［μＡ］＝２５［μＷ］
・Ｐｔｆｔ１＝１５［Ｖ］×５［μＡ］＝７５［μＷ］
【０００９】
また、表示装置の表示パネルが、ＳＤ（Standard  Definition）解像度の映像を表示する表示パネルである場合には、少なくとも６４０×４８０＝３０７２００（データ線×走査線）の画素を有し、カラー表示のために当該画素が赤（Red）、緑（Green）、青（Blue）のサブピクセル（sub  pixel）からなる場合には、６４０×４８０×３＝９２１６００（データ線×走査線×サブピクセルの数）のサブピクセルを有する。上記の場合には、表示パネルが備える駆動トランジスタＴｒ全体の消費電力Ｐｔｆｔ（Ｐａｎｅｌ）は、Ｐｔｆｔ（Ｐａｎｅｌ）１＝１５［Ｖ］×５［μＡ］×６４０×４８０×３＝６９．１２［Ｗ］にもなる。
【００１０】
したがって、表示装置における消費電力の低減をより効果的に図るための手段としては、各画素を構成する駆動トランジスタＴｒが消費する電力を低減させることが挙げられる。
【００１１】
図１１は、画素回路が備える駆動トランジスタＴｒにおけるドレイン−ソース間の電圧Ｖｄｓと、発光電流Ｉｄとの関係の一例を示す説明図である。ここで、図１１に示すＶｇ１〜Ｖｇ７は、それぞれ駆動トランジスタＴｒのゲート端子に印加される電圧を示しており、「Ｖｇ１＜Ｖｇ２＜Ｖｇ２＜Ｖｇ４＜Ｖｇ５＜Ｖｇ６＜Ｖｇ７」の関係を有している。また、図１１に示すように、駆動トランジスタＴｒは、ドレイン−ソース間の電圧Ｖｄｓと発光電流Ｉｄとの関係が非線形の領域（なお、部分的には線形の場合もある）と、ドレイン−ソース間の電圧Ｖｄｓと発光電流Ｉｄとの関係がほぼ一定となる飽和領域とを有する。よって、表示装置は、発光素子Ｄｉを安定的に発光させるために、駆動トランジスタＴｒを飽和領域で動作させる。
【００１２】
駆動トランジスタＴｒにおける消費電力を低減させるためには、例えば、ドレイン−ソース間の電圧Ｖｄｓを下げればよい。しかしながら、表示装置は、発光素子Ｄｉにより大きな発光電流Ｉｄを流す必要があればある程、駆動トランジスタを飽和領域で動作させるために（すなわち、発光素子Ｄｉを安定的に発光させるために）より大きなドレイン−ソース間の電圧Ｖｄｓを必要とする。
【００１３】
ここで、消費電力の低減を図る従来の技術が用いられた従来の表示装置では、映像信号のピーク値に基づいて、各画素の画素回路を駆動させるための駆動電圧を調整することによって、消費電力の低減を図る。より具体的には、従来の表示装置は、映像信号のピーク値に基づいて駆動電圧を調整することによって、各画素を構成する駆動トランジスタのドレイン−ソース間の電圧Ｖｄｓを飽和領域内で調整する。したがって、従来の表示装置は、ドレイン−ソース間の電圧Ｖｄｓをより低くした状態で、映像信号に応じた映像を表示するために必要な発光電流Ｉｄを発光素子に印加することが可能となるので、駆動トランジスタにおける消費電力を低減させることができる。
【００１４】
しかしながら、各画素の画素回路では、図１１に示すように、駆動トランジスタＴｒが飽和領域で動作する場合であっても、ドレイン−ソース間の電圧Ｖｄｓが高くなればなる程、発光電流Ｉｄは次第に大きくなる場合が多い。上記の現象は、例えば、トランジスタのアーリー効果などによって生じる。つまり、表示装置が映像信号に基づいてドレイン−ソース間の電圧Ｖｄｓを調整した場合には、たとえゲート端子に印加される電圧Ｖｇが一定であったとしても発光電流Ｉｄが変化してしまう（また、電圧Ｖｇが変化した場合における発光電流Ｉｄの変化も一定にはならない。）。したがって、表示装置が映像信号に基づいてドレイン−ソース間の電圧Ｖｄｓを調整した場合には、輝度の低下などによる画質の低下が生じる恐れがある。
【００１５】
ここで、消費電力の低減を図る従来の技術が用いられた従来の表示装置は、映像信号のピーク値に基づいて駆動電圧を調整しているに過ぎず、ドレイン−ソース間の電圧Ｖｄｓの調整に伴う発光電流Ｉｄの変化については、何らの考慮もさなれていない。したがって、消費電力の低減を図る従来の技術が用いられた従来の表示装置では、消費電力の低減が図れたとしても高画質化は望むべくもない。
【００１６】
本発明は、上記問題に鑑みてなされたものであり、本発明の目的とするところは、入力される映像信号に基づいて、各画素における消費電力の低減と高画質化とを図ることが可能な、新規かつ改良された表示装置を提供することにある。
【課題を解決するための手段】
【００１７】
上記目的を達成するために、本発明の第１の観点によれば、マトリクス状に配置された複数の画素を有し、入力された映像信号に基づく映像を表示画面に表示する映像表示部と、入力された上記映像信号に基づいて、所定期間における輝度の最大値を検出するピーク検出部と、上記ピーク検出部の検出結果に基づいて上記画素を駆動させる第１電圧を規定する第１調整値を設定し、設定された上記第１調整値と前の所定期間において設定された第１調整値との間の変化値に基づいて、上記映像信号のゲインを調整する第２調整値を設定する調整値設定部と、上記調整値設定部から出力される上記第１調整値に基づいて、上記第１調整値に応じた第１電圧を上記画素へ供給する第１電圧供給部と、上記映像信号と上記調整値設定部から出力される上記第２調整値とに基づいて、上記映像信号のゲインを調整するゲイン調整部と、上記ゲイン調整部において調整された映像信号に基づく第２電圧を上記画素へ供給する第２電圧供給部と、を備え、上記画素それぞれは、電流量に応じて自発光する発光素子と、第１端子が上記発光素子と接続され、制御端子に印加される上記第２電圧と、上記第１端子または第２端子に印加される上記第１電圧とに基づいて、上記第２電圧に応じた量の発光電流を上記発光素子へ印加するトランジスタとを有する表示装置が提供される。
【００１８】
上記表示装置は、例えば、入力された上記映像信号に基づいて所定期間における輝度の最大値を検出し、検出結果に基づいて画素を駆動させる第１電圧を規定する第１調整値を設定する。そして、上記表示装置は、上記第１調整値に基づいて、上記第１調整値に応じた第１電圧を映像表示部が有する画素それぞれへと供給する。上記のように所定期間における輝度の最大値に基づいて第１調整値を設定することによって、上記表示装置は、入力された上記映像信号に対応する上記第１電圧を各画素に供給することができる。よって、上記表示装置は、消費電力の低減を図ることができる。また、上記表示装置は、例えば、設定された上記第１調整値と前の所定期間において設定された第１調整値との間の変化値に基づいて、上記映像信号のゲインを調整する第２調整値を設定する。そして、上記表示装置は、上記第２調整値に基づいて映像信号のゲインを調整し、調整された映像信号に基づく第２電圧を上記画素それぞれへと供給する。上記のように、上記変化値に基づいて調整された映像信号に対応する上記第２電圧を上記画素それぞれへと供給することによって、上記表示装置は、輝度の低下などによる画質の低下を防止することができる。よって、上記表示装置は、高画質化を図ることができる。したがって、かかる構成により、入力される映像信号に基づいて、各画素における消費電力の低減と、高画質化とを図ることができる。
【００１９】
また、上記調整値設定部は、映像信号の輝度と上記第１調整値、および上記変化値と上記第２調整値がそれぞれ対応付けられたルックアップテーブルを保持し、上記ピーク検出部の検出結果に応じて、上記第１調整値および上記第２調整値をそれぞれ一意に設定してもよい。
【００２０】
上記調整値設定部は、例えば、上記ルックアップテーブルを用いることにより、上記ピーク検出部の検出結果に応じた上記第１調整値を一意に設定することができ、また、設定された第１調整値によって導出される変化値に基づいて上記第２調整値を一意に設定することができる。よって、かかる構成により、入力される映像信号に基づいて、各画素における消費電力の低減と、高画質化とを図ることができる。
【００２１】
また、上記映像信号に基づいて、輝度の平均を導出する平均輝度導出部をさらに備え、上記調整値設定部は、上記ピーク検出部の検出結果と上記平均輝度導出部が導出した平均輝度とに基づいて、上記第１調整値を設定してもよい。
【００２２】
上記調整値設定部は、上記ピーク検出部の検出結果と上記平均輝度導出部が導出した平均輝度とに基づいて上記第１調整値を設定することによって、表示画面全体の負荷に応じた第１調整値を設定することができる。よって、かかる構成により、表示装置が表示画面全体の負荷に合わせて表示画面全体の輝度を下げる機能を有する場合であっても、より消費電力の低減を図ることができる。
【００２３】
また、上記ピーク検出部は、上記表示画面を複数の分割領域に分割して上記分割領域ごとに所定期間における輝度の最大値を検出し、上記調整値設定部は、上記分割領域ごとに上記第１調整値と上記第２調整値とを設定してもよい。
【００２４】
上記調整値設定部が上記分割領域ごとに上記第１調整値と上記第２調整値とを設定することによって、上記表示装置は、上記分割領域ごとに各画素における消費電力の低減と、高画質化とを図ることができる。よって、かかる構成により、より効率的に消費電力の低減を図ることができる。
【発明の効果】
【００２５】
本発明によれば、入力される映像信号に基づいて、各画素における消費電力の低減と、高画質化とを図ることができる。
【発明を実施するための最良の形態】
【００２６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２７】
（各画素における消費電力の低減および高画質化のためのアプローチ）
本発明の実施形態に係る表示装置（以下、「表示装置１００」という。）の構成について説明する前に、まず、表示装置１００における各画素における消費電力の低減および高画質化のためのアプローチについて説明する。
【００２８】
［１］各画素における消費電力の低減のためのアプローチ
まず、図１〜図３を参照して、表示装置１００の各画素における消費電力の低減のためのアプローチについて説明する。図１は、本発明の実施形態に係る表示装置１００における消費電力の低減のためのアプローチを説明するための第１の説明図である。ここで、図１は、図１１と同様に、画素回路が備える駆動トランジスタにおけるドレイン−ソース間の電圧Ｖｄｓと、発光電流Ｉｄとの関係の一例を示している。また、図１に示すＶｇ１〜Ｖｇ７は、それぞれ駆動トランジスタＴｒのゲート端子に印加される電圧を示しており、「Ｖｇ１＜Ｖｇ２＜Ｖｇ２＜Ｖｇ４＜Ｖｇ５＜Ｖｇ６＜Ｖｇ７」の関係を有している。
【００２９】
また、図２は、本発明の実施形態に係る表示装置１００における消費電力の低減のためのアプローチを説明するための第２の説明図である。ここで、図２は、０〜２５５の輝度が１６段階で表された画像が表示画面に表示された例を示している。図２において表示される画像では、左端が輝度０（「黒」が表示される）を示しており、右端が輝度２５５（「白」が表示される）を示している。
【００３０】
また、図３は、本発明の実施形態に係る表示装置１００における消費電力の低減のためのアプローチを説明するための第３の説明図である。ここで、図３は、０〜１２８の輝度が１６段階で表された画像が表示画面に表示された例（すなわち、輝度の最大値が図２の例の半分場合の例）を示している。
【００３１】
上述したように、各画素を構成する駆動トランジスタＴｒは、ゲート端子（制御端子）に印加されるデータ電圧Ｖｇに応じた発光電流Ｉｄを発光素子Ｄｉに印加する。また、発光素子Ｄｉは、印加される発光電流Ｉｄに応じて発光する。ここで、各画素を構成する発光素子Ｄｉが有機ＥＬ素子である場合には、ＩＬ特性（電流−発光量特性）は線形となる。つまり、各画素を構成する発光素子Ｄｉが有機ＥＬ素子である場合、表示装置１００は、図２に示す画像を表示画面に表示させるために、図３に示す画像を表示画面に表示させる場合よりも約２倍の発光電流Ｉｄを発光素子Ｉｄに流す必要がある。
【００３２】
ここで、図２に示す輝度が最大の部分（「白」が表示される右端部分）を表示画面に表示させるための発光電流Ｉｄを図１に示すＩｄ１とすると、駆動トランジスタＴｒを安定的に動作させるために必要なドレイン−ソース間の電圧Ｖｄｓは、Ｖｄｓ１以上となる。また、上記の場合には、図３に示す輝度が最大の部分（右端部分）を表示画面に表示させるための発光電流Ｉｄは、図１に示すＩｄ２（Ｉｄ２＝Ｉｄ１／２）となり、このとき駆動トランジスタＴｒを安定的に動作させるために必要なドレイン−ソース間の電圧Ｖｄｓは、Ｖｄｓ２（Ｖｄｓ２＜Ｖｄｓ１）以上となる。
【００３３】
上記のように、表示画面に表示される画像に応じて（すなわち、入力される映像信号に応じて）、駆動トランジスタＴｒを安定的に動作させるために必要なドレイン−ソース間の電圧Ｖｄｓは変化する。つまり、図３に示す輝度が最大の部分（右端部分）を表示画面に表示させるためには、駆動トランジスタＴｒのドレイン−ソース間の電圧ＶｄｓをＶｄｓ１以上とする必要はなく、ドレイン−ソース間の電圧ＶｄｓをＶｄｓ２以上となるようにすればよい。したがって、上記の場合には、駆動トランジスタＴｒを安定的に動作させるためのドレイン−ソース間の電圧Ｖｄｓを、例えば、「Ｖｄｓ１−Ｖｄｓ２」分減少させることができる。
【００３４】
例えば、Ｖｄｓ１−Ｖｄｓ２＝４［Ｖ］とすると、上述した例では、駆動トランジスタＴｒを駆動させるためのドレイン−ソース間の電圧Ｖｄｓを１５［Ｖ］から１１［Ｖ］まで減少させることができる。このとき駆動トランジスタＴｒで消費される電力Ｐｔｆｔは、Ｐｔｆｔ２＝１１［Ｖ］×５［μＡ］＝５５［μＷ］となり、また、表示パネルが備える駆動トランジスタＴｒ全体の消費電力Ｐｔｆｔ（Ｐａｎｅｌ）は、Ｐｔｆｔ（Ｐａｎｅｌ）２＝１１［Ｖ］×５［μＡ］×６４０×４８０×３＝５０．６９［Ｗ］となる。つまり、上述した例においてＶｄｓ１−Ｖｄｓ２＝４［Ｖ］の場合には、Ｐｔｆｔ（Ｐａｎｅｌ）２−Ｐｔｆｔ（Ｐａｎｅｌ）２＝１８．４［Ｗ］の消費電力を低減させることができる。
【００３５】
表示装置１００は、駆動トランジスタＴｒを安定的に動作させるために必要なドレイン−ソース間の電圧Ｖｄｓを入力される映像信号に応じて変化させることによって、各画素における消費電力を低減させる。より具体的には、表示装置１００は、駆動トランジスタＴｒのドレイン−ソース間の電圧Ｖｄｓを調整するために、各画素を駆動させるための駆動電圧Ｖｄｄを映像信号に基づいて調整し、調整した駆動電圧Ｖｄｄを各画素へ印加する。上記のように、駆動電圧Ｖｄｄを映像信号に基づいて調整することによって、表示装置１００は、駆動トランジスタＴｒのドレイン−ソース間の電圧Ｖｄｓを調整することができる。
【００３６】
したがって、表示装置１００は、各画素の駆動トランジスタＴｒのドレイン−ソース間の電圧Ｖｄｓをより低くした状態で、映像信号に応じた映像を表示するために必要な発光電流Ｉｄを発光素子Ｄｉに印加することができるので、表示パネル全体における消費電力を低減させることができる。
【００３７】
［２］高画質化のためのアプローチ
次に、本発明の実施形態に係る表示装置１００における高画質化のためのアプローチについて説明する。
【００３８】
上記［１］のアプローチでは、表示装置１００が、映像信号に基づいて駆動電圧Ｖｄｄを調整することによって、各画素が備える駆動トランジスタＴｒのドレイン−ソース間の電圧Ｖｄｓを調整して消費電力を低減させることを示した。
【００３９】
上述したように、各画素が備える駆動トランジスタＴｒは、飽和領域で動作する場合あっても、ドレイン−ソース間の電圧Ｖｄｓが高くなればなる程、発光電流Ｉｄは次第に大きくなる。つまり、飽和領域において駆動トランジスタＴｒのドレイン−ソース間に流れる発光電流Ｉｄは一定であるとは限らない。したがって、表示装置１００が、駆動電圧Ｖｄｄを調整することによって各画素における消費電力を低減させた場合には、例えば、輝度の低下などによる画質の低下が生じる恐れがある。
【００４０】
そこで、表示装置１００は、駆動トランジスタＴｒのドレイン−ソース間の電圧Ｖｄｓの変化に応じて、入力された映像信号のゲインを調整する。より具体的には、表示装置１００は、上記［１］のアプローチにおいて調整する駆動電圧Ｖｄｄの変化（より厳密には、後述する第１調整値の変化を示す変化値）に基づいて、映像信号のゲインを調整するための調整値（第２調整値）を導出する。そして、表示装置１００は、導出された調整値（第２調整値）に基づいて入力された映像信号のゲインを調整する。
【００４１】
上記のように、駆動電圧Ｖｄｄの変化（後述する第１調整値の変化を示す変化値）に基づいて映像信号のゲインを調整することによって、表示装置１００は、上記［１］のアプローチよって生じうる輝度の低下などを防止することができる。
【００４２】
以上のように、表示装置１００は、上記［１］のアプローチによって消費電力の低減を図り、また、上記［２］のアプローチによって上記［１］のアプローチよって生じうる輝度の低下などを防止する。したがって、表示装置１００は、入力される映像信号に基づいて、各画素における消費電力の低減と、高画質化とを図ることができる。
【００４３】
（表示装置１００における処理の概要）
次に、上述した各画素における消費電力の低減および高画質化のためのアプローチを実現するための、表示装置１００における処理の概要について説明する。表示装置１００は、例えば、以下の（Ｉ）〜（Ｖ）の処理によって、各画素における消費電力の低減と、高画質化とを図る。
【００４４】
（Ｉ）輝度の最大値の導出
表示装置１００は、入力される映像信号に基づいて、所定期間（例えば、１フレーム期間）ごとに映像信号における輝度の最大値を導出する。
【００４５】
（ＩＩ）調整値の設定
（ＩＩ−１）第１調整値の設定
表示装置１００は、上記（Ｉ）の処理において導出された輝度の最大値に基づいて、第１調整値を設定する。ここで、第１調整値とは、画素を駆動させる駆動電圧Ｖｄｄ（第１電圧）を規定する調整値である。表示装置１００は、第１調整値に応じた駆動電圧Ｖｄｄを各画素へ印加することによって、上記［１］のアプローチ（消費電力の低減アプローチ）を実現する。
【００４６】
ここで、画素を構成する駆動トランジスタＴｒにおけるドレイン−ソース間の電圧Ｖｄｓと発光電流Ｉｄとの関係は、図１、図１１に示すように、駆動トランジスタＴｒのゲート端子（制御端子）に印加される電圧に応じて変化する。また、図１、図１１に示す関係は、駆動トランジスタＴｒが、例えば、アモルファスシリコンや低温ポリシリコン（low-temperature  poly-silicon）などによる同一のプロセスで生成された場合には、表示パネルを構成する各画素で同様の特性を有する。つまり、映像信号が示す輝度の値と、駆動トランジスタＴｒを飽和領域で動作させるために必要な駆動電圧Ｖｄｄとは、予め定めることができる。
【００４７】
そこで、表示装置１００は、例えば、輝度の値と第１調整値とが対応付けられたルックアップテーブル（Look  Up  Table。以下、「第１のルックアップテーブル」という。）を予め記憶する。上記第１のルックアップテーブルとを利用することによって、表示装置１００は、上記（Ｉ）の処理において導出された輝度の最大値に基づいて、第１調整値を一意に設定することができる。
【００４８】
また、表示装置１００は、設定した所定期間（例えば、１フレーム期間）ごとの第１調整値を少なくとも１つ前の所定期間分記憶する。ここで、表示装置１００が、前の所定期間に対応する第１調整値を記憶するのは、上記［２］のアプローチを実現するための調整値（後述する第２調整値）を導出するためである。
【００４９】
（ＩＩ−２）第２調整値の設定
表示装置１００は、上記（ＩＩ−１）の処理において第１調整値を設定すると、例えば、設定された第１調整値と、１つ前の所定期間に設定された第１調整値（以下、「前第１調整値」という。）とに基づいて、第１調整値と前第１調整値との間の変化値を導出する。ここで、上記変化値としては、例えば、前第１調整値から第１調整値への変化率や、第１調整値と前第１調整値との間の差分値が挙げられる。
【００５０】
また、上述したように、画素を構成する駆動トランジスタＴｒにおいて、図１、図１１に示す関係は、予め知ることができる。つまり、上記変化値の値に応じてどのように映像信号のゲインを調整すれば、駆動トランジスタＴｒの飽和領域における発光電流Ｉｄの変化による影響（例えば、輝度の低下など）を低減できるかについても、予め知ることができる。そこで、表示装置１００は、例えば、上記変化値と、映像信号のゲインを調整するための第２調整値とが対応付けられたルックアップテーブル（以下、「第２のルックアップテーブル」という。）を予め記憶する。上記第２のルックアップテーブルを利用することによって、表示装置１００は、上記（ＩＩ−１）の処理において設定された第１設定値と、前の所定期間において設定された前第１調整値とに基づいて、第２調整値を一意に設定することができる。
【００５１】
（ＩＩＩ）映像信号のゲインの調整
表示装置１００は、上記（ＩＩ−２）の処理において設定された第２調整値に基づいて、入力された映像信号のゲインを調整する。ここで、表示装置１００は、例えば、映像信号に第２調整値を乗算することによって映像信号のゲインを調整することができるが、上記に限られない。なお、例えば、第２調整値が、“１．０”である場合、すなわち、上記（ＩＩ−２）の処理において導出された変化値が、変化を示さない値である場合には、映像信号のゲインは、入力された映像信号のままとなる。
【００５２】
上記（ＩＩ−２）に示すように、第２調整値は、第１調整値と前第１調整値との間の変化値に基づいて設定される。したがって、表示装置１００は、第２調整値に基づいて映像信号のゲインを調整することによって、各画素を構成する駆動トランジスタＴｒの飽和領域における発光電流Ｉｄの変化の影響を低減することができるので、画質の低下を防止する（すなわち、高画質化を図る）ことができる。
【００５３】
（ＩＶ）駆動電圧Ｖｄｄの設定
表示装置１００は、上記（ＩＩ−２）の処理において設定された第１調整値に基づいて、各画素を駆動させるための駆動電圧Ｖｄｄを設定する。上記（ＩＩ−１）に示すように、第１調整値は、映像信号の輝度の最大値に基づいて設定される。したがって、表示装置１００は、第１調整値に基づいて駆動電圧Ｖｄｄを設定することによって、各画素を構成する駆動トランジスタＴｒのドレイン−ソース間の電圧Ｖｄｓを映像信号に基づいて調整することができるので、各画素における消費電力の低減を図ることができる。
【００５４】
（Ｖ）表示処理
表示装置１００は、各画素へ駆動電圧Ｖｄｄ（第１電圧）を印加し、また、映像信号に応じたデータ電圧Ｖｇ（第２電圧）の各画素へと選択的に印加することによって、映像信号に応じた画像（映像）を表示画面に表示させる。ここで、各画素へのデータ電圧Ｖｇの選択的な印加は、例えば、表示装置１００が備えるスキャンドライバから各画素に印加される選択信号に基づいて行われる。
【００５５】
表示装置１００は、上記（Ｉ）の処理〜（Ｖ）の処理を行うことによって、入力される映像信号に基づいて、各画素における消費電力の低減と高画質化とを図ることができる。
【００５６】
（表示装置１００の構成）
次に、上記（Ｉ）の処理〜（Ｖ）の処理を行うことが可能な、本発明の実施形態に係る表示装置１００の構成について説明する。以下では、表示装置１００に映像信号が入力されるものとして説明するが、表示装置１００に入力される映像信号は、静止画像を示すものであってもよいし、または、動画像（いわゆる映像）であってもよい。
【００５７】
また、以下では、本発明の実施形態に係る表示装置１００に入力される映像信号が、例えば、デジタル放送などで用いられるデジタル信号であるとして説明するが、上記に限られず、例えば、アナログ放送などで用いられるアナログ信号とすることもできる。また、表示装置１００に入力される映像信号は、例えば、放送局から送信され表示装置１００が受信したものとすることができるが、上記に限られない。例えば、表示装置１００に入力される映像信号は、ＬＡＮ（Local  Area  Network）などのネットワークを介して外部装置から送信され表示装置１００が受信したものであってもよいし、または、表示装置１００が備える記憶部（図示せず）に保持された映像ファイルや画像ファイルを表示装置１００が読み出したものであってもよい。
【００５８】
また、以下では、本発明の実施形態に係る表示装置１００として、発光素子に流れる電流に応じて発光する自発光型の表示装置である有機ＥＬディスプレイを例に挙げて説明する。なお、表示装置１００は、有機ＥＬディスプレイに限られず、例えば、発光素子に流れる電流に応じて発光させることが可能な表示装置に適用することもできる。
【００５９】
さらに、以下では、カラー画像を示すＲＧＢの映像信号が本発明の実施形態に係る表示装置１００に入力されるものとして説明するが、上記に限られず、例えば、色差信号であってもよい。
【００６０】
図４は、本発明の実施形態に係る表示装置１００の構成の一例を示す説明図である。図４を参照すると、表示装置１００は、ピーク検出部１０２と、調整値設定部１０４と、ゲイン調整部１０６と、駆動電圧供給部１０８（第１電圧供給部）と、データドライバ１１０（第２電圧供給部）と、スキャンドライバ１１２と、表示パネル１１４（映像表示部）と、タイミングコントローラ１１６とを備える。
【００６１】
また、表示装置１００は、例えば、ＭＰＵ（Micro  Processing  Unit）などで構成され表示装置１００全体を制御する制御部（図示せず）や、制御部が使用するプログラムや演算パラメータなどの制御用データが記録されたＲＯＭ（Read  Only  Memory。図示せず）、制御部により実行されるプログラムなどを一次記憶するＲＡＭ（Random  Access  Memory。図示せず）、放送局などから送信される映像信号を受信する受信部（図示せず）、映像ファイルや画像ファイルなどを記憶可能な記憶部（図示せず）、ユーザが操作可能な操作部（図示せず）、外部装置（図示せず）と通信を行うための通信部（図示せず）などを備えてもよい。表示装置１００は、例えば、データの伝送路としてのバス（bus）により上記各構成要素間を接続する。また、表示装置１００は、例えば、ピーク検出部１０２、調整値設定部１０４、およびゲイン調整部１０６それぞれを個別のハードウェア（例えば、信号処理回路）として備えることができるが、上記に限られない。例えば、表示装置１００では、上記制御部（図示せず）や１つの信号処理集積回路がピーク検出部１０２、調整値設定部１０４、およびゲイン調整部１０６の役目を果たすこともできる。
【００６２】
ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）が挙げられるが、上記に限られない。また、操作部（図示せず）としては、例えば、キーボードやマウスなどの操作入力デバイスや、ボタン、方向キー、あるいは、これらの組み合わせなどが挙げられるが、上記に限られない。
【００６３】
また、表示装置１００と外部装置（図示せず）とは、例えば、ＵＳＢ（Universal  Serial  Bus）端子やＩＥＥＥ１３９４規格の端子、ＤＶＩ（Digital  Visual  Interface）端子、あるいはＨＤＭＩ（High-Definition  Multimedia  Interface）端子などを介して物理的に接続されてもよいし、また、ＷＵＳＢ（Wireless  Universal  Serial  Bus）やＩＥＥＥ８０２．１１などを利用して無線で接続することもできる。さらに、表示装置１００と外部装置（図示せず）とは、例えば、ネットワークを介して接続することもできる。ネットワークとしては、例えば、ＬＡＮやＷＡＮ（Wide  Area  Network）など有線ネットワーク、ＭＩＭＯ（Multiple-Input  Multiple-Output）を用いたＷＬＡＮ（Wireless  Local  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。したがって、通信部（図示せず）は、外部装置（図示せず）との接続形態に応じたインタフェースを有する。
【００６４】
ピーク検出部１０２は、上記（Ｉ）の処理（輝度の最大値の導出）を行う役目を果たす。より具体的には、ピーク検出部１０２は、入力された映像信号に基づいて所定期間ごとに輝度の最大値を検出し、検出された輝度の最大値を調整値設定部１０４に伝達する。
【００６５】
ここで、ピーク検出部１０２が輝度の最大値を検出する所定期間としては、例えば、１フレーム期間が挙げられるが、上記に限られず、任意の期間を上記所定の期間に設定することができる。また、ピーク検出部１０２は、例えば、予め規定された所定期間ごとに輝度の最大値を調整値設定部１０４に伝達する（すなわち、一定周期における輝度の最大値を伝達する）ことができるが、上記に限られない。例えば、ピーク検出部１０２は、上記所定期間を可変する期間として輝度の最大値を検出し、検出された輝度の最大値を調整値設定部１０４へ伝達することもできる。なお、以下では、所定の期間を１フレーム期間であるとして説明する。
【００６６】
調整値設定部１０４は、上記（ＩＩ）の処理（調整値の設定）を行う役目を果たし、所定の期間ごとに第１調整値と第２調整値とを設定する。より具体的には、調整値設定部１０４は、ピーク検出部１０２から伝達される輝度の最大値と、第１のルックアップテーブルとに基づいて、輝度の最大値に応じた第１調整値を設定する。また、調整値設定部１０４は、設定した第１調整値と、前の所定期間に設定された前第１調整値（例えば、１フレーム前の映像信号に対応する第１調整値）とに基づいて、第１調整値と前第１調整値との間の変化値を導出する。そして、調整値設定部１０４は、導出された変化値と、第２のルックアップテーブルとに基づいて、変化値に応じた第２調整値を設定する。
【００６７】
ここで、第１のルックアップテーブルおよび第２のルックアップテーブルは、例えば、調整値設定部１０４が備える記憶手段に保持することができる。調整値設定部１０４が備える記憶手段としては、例えば、ＥＥＰＲＯＭやフラッシュメモリなどの不揮発性メモリが挙げられるが、上記に限られない。なお、第１のルックアップテーブルおよび第２のルックアップテーブルは、例えば、表示装置１００の記憶部（図示せず）に記憶され、調整値設定部１０４が当該記憶部（図示せず）から適宜読み出してもよいことは、言うまでもない。
【００６８】
第１調整値と第２調整値とが設定されると、調整値設定部１０４は、設定された第１調整値を駆動電圧供給部１０８に伝達し、また、設定された第２調整値をゲイン調整部１０６に伝達する。
【００６９】
ゲイン調整部１０６は、上記（ＩＩＩ）の処理（映像信号のゲインの調整）を行う役目を果たし、調整値設定部１０４から伝達される第２調整値に基づいて、入力された映像信号のゲインを調整する。より具体的には、ゲイン調整部１０６は、例えば、乗算器１２０を備えることによって、入力された映像信号に第２調整値を乗算することによって映像信号のゲインを調整する。なお、本発明の実施形態に係るゲイン調整部における映像信号のゲインの調整方法が、上記に限られないことは、言うまでもない。
【００７０】
駆動電圧供給部１０８は、上位（ＩＶ）の処理（駆動電圧Ｖｄｄの設定）および上記（Ｖ）の処理（表示処理）の一部を行う役目を果たす。より具体的には、駆動電圧供給部１０８は、調整値設定部１０４から伝達される第１調整値に基づいて、各画素を駆動させるための駆動電圧Ｖｄｄを設定する。そして、駆動電圧供給部１０８は、設定された駆動電圧Ｖｄｄを、電源供給線ＶＬｍ（ｍは、１以上の整数）を介して表示パネル１１４の各画素へと印加する。
【００７１】
ここで、駆動電圧供給部１０８は、例えば、第１調整値と駆動電圧Ｖｄｄとが対応付けられたルックアップテーブルを用いることによって、第１調整値に応じた駆動電圧Ｖｄｄを一意に設定するが、上記に限られない。第１調整値と駆動電圧Ｖｄｄとが対応付けられたルックアップテーブルは、例えば、駆動電圧供給部１０８が備える記憶手段に保持することができる。駆動電圧供給部１０８が備える記憶手段としては、例えば、ＥＥＰＲＯＭやフラッシュメモリなどの不揮発性メモリが挙げられるが、上記に限られない。なお、上記ルックアップテーブルは、上記第１のルックアップテーブルや第２のルックアップテーブルと同様に、例えば、表示装置１００の記憶部（図示せず）に記憶され、駆動電圧供給部１０８が当該記憶部（図示せず）から適宜読み出してもよいことは、言うまでもない。
【００７２】
データドライバ１１０は、上記（Ｖ）の処理（表示処理）の一部を行う役目を果たす。より具体的には、ゲイン調整部１０６から伝達されるゲインが調整された映像信号に基づいて、当該映像信号に応じたデータ電圧Ｖｇをデータ線ＤＬｎ（ｎは、１以上の整数）を介して表示パネル１１４の各画素へと印加する。ここで、データドライバ１１０は、例えば、タイミングコントローラ１１６から伝達される制御信号に基づいて、各データ線ＤＬｎへと選択的にデータ電圧Ｖｇを印加する。
【００７３】
スキャンドライバ１１２は、上記（Ｖ）の処理（表示処理）の一部を行う役目を果たし、データ電圧Ｖｇを各画素へ選択的に印加させるための選択信号を走査線ＳＬｍを介して表示パネル１１４の各画素へと印加する。ここで、スキャンドライバ１１２は、例えば、タイミングコントローラ１１６から伝達される制御信号に基づいて、各走査線ＳＬｍへと選択的に選択信号を印加する。
【００７４】
表示パネル１１４は、マトリクス状（行列状）に配置された複数の画素を備える。例えば、ＳＤ解像度の映像を表示する表示部は、少なくとも６４０×４８０＝３０７２００（データ線×走査線）の画素を有し、カラー表示のために当該画素がＲ、Ｇ、Ｂのサブピクセルからなる場合には、６４０×４８０×３＝９２１６００（データ線×走査線×サブピクセルの数）のサブピクセルを有する。同様に、例えば、ＨＤ（High  Definition）解像度の映像を表示する表示部は、１９２０×１０８０の画素を有し、カラー表示の場合には、１９２０×１０８０×３のサブピクセルを有する。
【００７５】
また、表示パネル１１４は、例えば、画素ごとに印加する電圧量／電流量を制御するための画素回路を備える。画素回路は、例えば、印加される走査信号およびデータ電圧Ｖｇにより電流量を制御するためのスイッチ素子およびドライブ素子と、データ電圧Ｖｇを保持するための容量素子（例えば、キャパシタ）と、ドライブ素子の一の端子と接続される発光素子とで構成される。上記スイッチ素子および上記ドライブ素子は、例えば、薄膜トランジスタ（Thin  Film  Transistor）で構成される。
【００７６】
［画素回路の例］
ここで、本発明の実施形態に係る画素回路の例を示す。図５〜図８は、それぞれ本発明の実施形態に係る表示装置１００が有する画素を構成する画素回路の一例を示す説明図である。ここで、図５〜図８それぞれは、画素を構成する１つのサブピクセル（すなわち、赤、青、緑にいずれかの光を発するサブピクセル）の構成を示している。なお、以下では、画素回路が、上記スイッチング素子に対応する薄膜トランジスタ（以下、「スイッチングトランジスタ」という。）と、上記ドライブ素子に対応する薄膜トランジスタ（「駆動トランジスタ」に相当する。）という２つの薄膜トランジスタと、発光素子Ｄｉとを備える構成について説明する。
【００７７】
また、以下では、画素回路を構成する発光素子Ｄｉが、有機ＥＬ素子であるとして説明する。ここで、画素回路を構成する発光素子Ｄｉが有機ＥＬ素子である場合には、ＩＬ特性（電流−発光量特性）が線形となり、発光素子Ｄｉに印加された電流量（発光電流Ｉｄの電流量）に応じて発光する。したがって、表示装置１００として有機ＥＬディスプレイが適用された場合（発光素子Ｄｉが有機ＥＬ素子である場合）には、表示装置１００は、映像信号が示す被写体の光量と、表示装置１００の発光素子から発光される発光量との関係を線形とすることができるので、映像信号に忠実な映像や画像を表示することができる。
【００７８】
なお、本発明の実施形態に係る画素回路は、２つの薄膜トランジスタ（スイッチングトランジスタおよび駆動トランジスタ）と、発光素子Ｄｉとを備える構成に限られない。例えば、本発明の実施形態に係る画素回路は、各画素が備える駆動トランジスタの閾値の補正などを行うためにデータ電圧Ｖｇを保持するキャパシタをさらに備えることができる。また、本発明の実施形態に係る画素回路は、２つの薄膜トランジスタで構成されることに限られず、例えば、３つの薄膜トランジスタ、４つの薄膜トランジスタ、あるいは、５つの薄膜トランジスタなど、様々な数の薄膜トランジスタで画素回路を構成することができる。また、図５〜図８では、発光素子Ｄｉのカソード（cathode）または、駆動トランジスタのドレイン端子がグランドＧＮＤに接続されている例を示しているが、基準電位の大きさは、例えば、表示装置１００の構成に応じて適宜設定することができる。
【００７９】
〔１〕第１の例（図５）：ソースフォロア型
図５を参照すると、第１の例に係る画素回路１２２ｍｍＡは、ｎ−チャネル型の駆動トランジスタＴｒ１と、ｎ−チャネル型のスイッチングトランジスタＴｒ２と、発光素子Ｄｉとを備える。
【００８０】
駆動トランジスタＴｒ１のソース端子（第１端子）は、発光素子Ｄｉのアノード（anode）と接続され、ドレイン端子（第２端子）は、電源供給線ＶＬｍに接続される。また、駆動トランジスタＴｒ１のゲート端子（制御端子）は、スイッチングトランジスタＴｒ２の第２端子と接続される。スイッチングトランジスタＴｒ２の制御端子には走査線ＳＬｍを介して選択信号が選択的に印加され、このとき、駆動トランジスタＴｒ１のゲート端子には、データ線ＤＬｎから伝達されるデータ電圧ＶｇがスイッチングトランジスタＴｒ２を介して印加される。そして、ゲート端子に印加されるデータ電圧Ｖｇに応じてドレイン−ソース間の電圧Ｖｄｓが変化することによって、駆動トランジスタＴｒ１のドレイン−ソース間にはデータ電圧Ｖｇに応じた発光電流Ｉｄが流れ、発光素子Ｄｉには発光電流Ｉｄが印加される。
【００８１】
したがって、画素回路１２２ｍｍＡでは、発光素子Ｄｉが発光電流Ｉｄに応じた発光量で発光することとなる。ここで、図５に示す構成は、ソースフォロア（またはドレイン接地）とよばれる。
【００８２】
〔２〕第２の例（図６）：定電流駆動型
図６を参照すると、第２の例に係る画素回路１２２ｍｍＢは、ｐ−チャネル型の駆動トランジスタＴｒ３と、ｐ−チャネル型のスイッチングトランジスタＴｒ４と、発光素子Ｄｉとを備える。
【００８３】
駆動トランジスタＴｒ３のドレイン端子（第１端子）は、発光素子Ｄｉのアノード（anode）と接続され、ソース端子（第２端子）は、電源供給線ＶＬｍに接続される。また、駆動トランジスタＴｒ１のゲート端子（制御端子）は、スイッチングトランジスタＴｒ２の第２端子と接続され、駆動トランジスタＴｒ３のゲート端子には、上記第１の例に係る駆動トランジスタＴｒ１と同様に、データ電圧Ｖｇが印加される。よって、駆動トランジスタＴｒ３のドレイン−ソース間には、ゲート端子に印加されるデータ電圧Ｖｇに応じた発光電流Ｉｄが流れ、発光素子Ｄｉには発光電流Ｉｄが印加される。
【００８４】
したがって、画素回路１２２ｍｍＢでは、発光素子Ｄｉが発光電流Ｉｄに応じた発光量で発光することとなる。ここで、図６に示す構成は、定電流駆動とよばれる。
【００８５】
〔３〕第３の例（図７）：定電流駆動型
図７を参照すると、第３の例に係る画素回路１２２ｍｍＣは、図５に示す第１の例に係る画素回路１２２ｍｍＡと同様に、ｎ−チャネル型の駆動トランジスタＴｒ１と、ｎ−チャネル型のスイッチングトランジスタＴｒ２と、発光素子Ｄｉとを備える。
【００８６】
駆動トランジスタＴｒ１のドレイン端子（第１端子）は、発光素子Ｄｉのカソードと接続され、ソース端子（第２端子）は、グランドＧＮＤに接続される。また、発光素子Ｄｉのアノードは、電源供給線ＶＬｍに接続される。つまり、駆動トランジスタＴｒ１のドレイン端子（第１端子）には、駆動電圧Ｖｄｄが発光素子Ｄｉを介して印加される。駆動トランジスタＴｒ１のゲート端子（制御端子）は、スイッチングトランジスタＴｒ２の第２端子と接続され、駆動トランジスタＴｒ１のゲート端子には、上記第１の例に係る駆動トランジスタＴｒ１と同様に、データ電圧Ｖｇが印加される。よって、駆動トランジスタＴｒ１のドレイン−ソース間には、ゲート端子に印加されるデータ電圧Ｖｇに応じた発光電流Ｉｄが流れ、発光素子Ｄｉには発光電流Ｉｄが印加される。
【００８７】
したがって、画素回路１２２ｍｍＣでは、発光素子Ｄｉが発光電流Ｉｄに応じた発光量で発光することとなる。ここで、図７に示す構成は、定電流駆動とよばれる。
【００８８】
〔４〕第４の例（図８）：ソースフォロア型
図８を参照すると、第４の例に係る画素回路１２２ｍｍＤは、ｐ−チャネル型の駆動トランジスタＴｒ３と、ｐ−チャネル型のスイッチングトランジスタＴｒ４と、発光素子Ｄｉとを備える。
【００８９】
駆動トランジスタＴｒ３のソース端子（第１端子）は、発光素子Ｄｉのカソードと接続され、ドレイン端子（第２端子）は、グランドＧＮＤに接続される。また、発光素子Ｄｉのアノードは、電源供給線ＶＬｍに接続される。駆動トランジスタＴｒ３のゲート端子（制御端子）は、スイッチングトランジスタＴｒ４の第２端子と接続され、駆動トランジスタＴｒ３のゲート端子には、上記第１の例に係る駆動トランジスタＴｒ１と同様に、データ電圧Ｖｇが印加される。よって、駆動トランジスタＴｒ３のドレイン−ソース間には、ゲート端子に印加されるデータ電圧Ｖｇに応じた発光電流Ｉｄが流れ、発光素子Ｄｉには発光電流Ｉｄが印加される。
【００９０】
したがって、画素回路１２２ｍｍＤでは、発光素子Ｄｉが発光電流Ｉｄに応じた発光量で発光することとなる。ここで、図８に示す構成は、ソースフォロア（またはドレイン接地）とよばれる。
【００９１】
本発明の実施形態に係る画素回路は、例えば、図５〜図８に示す構成を有することによって、映像信号に対応するデータ電圧Ｖｇに応じた光量で選択的に発光することができる。
【００９２】
再度図４を参照して、表示装置１００の構成要素について説明する。タイミングコントローラ１１６は、入力される同期信号Ｈ（水平同期信号）および同期信号Ｖ（垂直同期信号）に基づいて、データドライバ１１０およびスキャンドライバ１１２それぞれに対して制御信号を伝達する。ここで、表示装置１００は、例えば、放送局や外部装置などから送信された信号を受信する受信部（図示せず）において、同期信号Ｈおよび同期信号Ｖと、映像信号とを分離し、分離された同期信号Ｈおよび同期信号Ｖをタイミングコントローラ１１６に伝達するが、上記に限られない。
【００９３】
表示装置１００は、図４に示すような構成を有することにより、上述した（Ｉ）の処理（輝度の最大値の導出）、（ＩＩ）の処理（調整値の設定）、（ＩＩＩ）の処理（映像信号のゲインの調整）、（ＩＶ）の処理（駆動電圧Ｖｄｄの設定）、および（Ｖ）の処理（表示処理）を行う。したがって、表示装置１００は、入力される映像信号に基づいて、各画素における消費電力の低減と、高画質化とを図ることができる。
【００９４】
以上のように、本発明の実施形態に係る表示装置１００は、上述した［１］のアプローチによって消費電力の低減を図り、また、上記［２］のアプローチによって上記［１］のアプローチよって生じうる輝度の低下などを防止する。より具体的には、表示装置１００は、上述した（Ｉ）の処理（輝度の最大値の導出）、（ＩＩ）の処理（調整値の設定）、（ＩＩＩ）の処理（映像信号のゲインの調整）、（ＩＶ）の処理（駆動電圧Ｖｄｄの設定）、および（Ｖ）の処理（表示処理）を行うことによって、上述した［１］のアプローチおよび［２］のアプローチを実現する。したがって、表示装置１００は、入力される映像信号に基づいて、各画素における消費電力の低減と、高画質化とを図ることができる。
【００９５】
また、表示装置１００は、各画素が有する駆動トランジスタＴｒにおける消費電力を低減させるので、駆動トランジスタＴｒの発熱はより抑えられる。したがって、表示装置１００は、駆動トランジスタＴｒなどの画素回路を構成するトランジスタの劣化や、駆動トランジスタＴｒに接続される発光素子Ｄｉの劣化を低減させることができる。特に、表示装置１００が有機ＥＬディスプレイに適用された場合（すなわち、発光素子Ｄｉが有機ＥＬ素子である場合）には、表示装置１００のＭＴＢＦ（Mean  Time  Between  Failure：平均故障間隔）をより長くすることができる。
【００９６】
［表示装置１００の変形例］
上記では、図４を参照して本発明の実施形態に係る表示装置１００について説明したが、本発明の実施形態に係る表示装置は、上記に限られない。
【００９７】
〔第１の変形例〕
図９は、本発明の実施形態の第１の変形例に係る表示装置２００の構成の一例を示す説明図である。図９を参照すると、第１の変形例に係る表示装置２００は、ピーク検出部１０２と、平均輝度導出部２０２と、調整値設定部２０４と、ゲイン調整部１０６と、駆動電圧供給部１０８（第１電圧供給部）と、データドライバ１１０（第２電圧供給部）と、スキャンドライバ１１２と、表示パネル１１４（映像表示部）と、タイミングコントローラ１１６とを備える。
【００９８】
ピーク検出部１０２、ゲイン調整部１０６、駆動電圧供給部１０８（第１電圧供給部）、データドライバ１１０（第２電圧供給部）、スキャンドライバ１１２、表示パネル１１４（映像表示部）、およびタイミングコントローラ１１６は、それぞれ上述した図４に示す表示装置１００と同様の機能、構成を有する。つまり、表示装置２００は、基本的に図４に示す表示装置１００と同様の構成を有しており、平均輝度導出部２０２をさらに備えていることと、調整値設定部２０４の機能とが、表示装置１００と異なる。
【００９９】
より具体的には、表示装置２００は、入力された映像信号に基づいて、所定期間ごとの輝度の平均値をさらに導出し、輝度の最大値と輝度の平均値とに基づいて第１調整値を設定する。ここで、表示装置２００が備える平均輝度導出部２０２および調整値設定部２０４について説明する前に、表示装置１００が、輝度の平均を導出し、輝度の最大値と輝度の平均値とに基づいて第１調整値を設定する意義について説明する。
【０１００】
ＰＤＰや有機ＥＬディスプレイなどの自発光型の表示装置の場合には、表示装置全体（Ｓｅｔ全体）の消費電力を下げるために、表示画面全体の負荷に合わせて表示画面全体の輝度を下げる機能を有する場合がある。上記の機能が動作するときには、輝度の最大値が大きくても各画素の発光素子Ｄｉに実際に流れる発光電流Ｉｄは小さいので、駆動トランジスタＴｒにおけるドレイン−ソース間の電圧Ｖｄｓを小さくできる場合がある。そこで、表示装置２００は、上記の場合において消費電力をより低減させるために、映像信号に基づいて輝度の平均を導出し、導出した輝度の平均に基づいて負荷を判定する。そして、表示装置２００は、上記判定結果と輝度の最大値とに基づいて第１調整値を設定する。
【０１０１】
上記のように、負荷の判定結果に基づく第１調整値を設定することによって、表示装置２００は、表示画面全体の負荷に合わせて表示画面全体の輝度を下げる機能を有する場合であっても、より消費電力の低減を図ることができる。したがって、表示装置１００が、輝度の平均を導出し、輝度の最大値と輝度の平均値とに基づいて第１調整値を設定する意義は、表示画面全体の負荷に合わせて表示画面全体の輝度を下げる機能を有する場合であっても、より消費電力の低減を図ることにある。
【０１０２】
次に、表示装置２００が備える平均輝度導出部２０２および調整値設定部２０４について説明する。
【０１０３】
平均輝度導出部２０２は、入力された映像信号に基づいて、所定期間ごとの輝度の平均値を導出する。ここで、平均輝度導出部２０２は、例えば、相加平均を用いて輝度の平均値を導出することができるが、上記に限られず、例えば、相乗平均や加重平均を用いて導出することもできる。そして、平均輝度導出部２０２は、導出した輝度の平均値を調整値設定部２０４に伝達する。
【０１０４】
調整値設定部２０４は、ピーク検出部１０２から伝達される輝度の最大値と、平均輝度導出部２０２から伝達される輝度の平均値とに基づいて、第１調整信号を設定する。より具体的には、調整値設定部２０４は、例えば、輝度の平均値と所定の閾値とを比較することによって、輝度の平均値が所定の閾値よりも大きいか（または、所定の閾値以上であるか）または、当該閾値以下であるか（または、所定の閾値より小さいか）を判定する。そして、調整値設定部２０４は、上記判定結果に応じて、輝度の値と第１調整値とが対応付けられた第１のルックアップテーブルと、当該第１のルックアップテーブルとは輝度の値と第１調整値との対応付けが異なる、輝度の値と第１調整値とが対応付けられた第３のルックアップテーブルとのいずれか一方を選択的に用いることによって、第１調整値を設定する。
【０１０５】
ここで、上記閾値の情報や、第１のルックアップテーブル、第３のルックアップテーブルは、例えば、調整値設定部２０４が備える記憶手段に保持されるが、上記に限られず、表示装置１００の記憶部（図示せず）に記憶されていてもよい。
【０１０６】
上記のように、例えば異なる２つのルックアップテーブルを選択的に用いて第１調整値を設定することによって、調整値設定部２０４は、負荷に応じた第１調整値を設定することができる。なお、上記では、調整値設定部２０４が、１つの閾値を用いて負荷を判定し、異なる２つのルックアップテーブルを選択的に用いて第１調整値を設定することを示したが、上記に限られない。例えば、調整値設定部２０４は、複数の閾値と、３つ以上のルックアップテーブルを用いて第１調整値を設定することもできる。
【０１０７】
また、調整値設定部２０４は、図４に示す調整値設定部１０４と同様に、設定された第１調整値と、前の所定期間に対応する前第１調整値とに基づいて、第２調整値を設定する。
【０１０８】
第１の変形例に係る表示装置２００は、上述したように、基本的に図４に示す表示装置１００と同様の構成を有する。したがって、表示装置２００は、図４に示す表示装置１００と同様に、上述した（Ｉ）の処理〜（Ｖ）の処理を行うことができるので、入力される映像信号に基づいて、各画素における消費電力の低減と、高画質化とを図ることができる。
【０１０９】
また、表示装置２００は、輝度の平均値に基づいて表示画面全体の負荷を判定して第１調整値を設定する。したがって、表示装置２００は、表示画面全体の負荷に合わせて表示画面全体の輝度を下げる機能を有する場合であっても、より消費電力の低減を図ることができる。なお、上記機能が、例えば、表示装置２００が備える操作部（図示せず）を用いたユーザ操作によってオン／オフが可能である場合には、表示装置２００は、当該オン／オフに応じて、輝度の平均値を用いた第１調整値の設定（機能がオンのとき）と、図４に示す表示装置１００に係る第１調整値の設定（機能がオフのとき）とを切り替えることができる。
【０１１０】
〔第２の変形例〕
上記では、本発明の実施形態に係る表示装置１００が、入力された映像信号に基づいて、処理を行う領域を予め限定せず、表示画面全体に対して処理を行う構成を示した。しかしながら、本発明の実施形態に係る表示装置は、表示画面全体に対して処理を行う構成に限られない。
【０１１１】
例えば、本発明の実施形態の第２の変形例に係る表示装置（以下、「表示装置３００」という。）は、表示画面を複数の分割領域に分割し、当該分割領域ごとに第１調整値および第２調整値を設定することによって、分割領域ごとに消費電力の低減と高画質化を図ることもできる。
【０１１２】
表示装置３００は、上記の構成によって表示画面全体よりも小さな分割領域ごとに第１調整値および第２調整値を設定する。つまり、表示装置３００は、入力される映像信号が部分的に輝度が高い画像（映像）を示す場合であっても、輝度の最大値が大きな一の分割領域と、当該一の分割領域よりも輝度の最大値が小さな分割領域とに対して、それぞれ個別に消費電力の低減を図ることができる。
【０１１３】
したがって、第２の変形例に係る表示装置３００は、表示パネルを構成する各画素が有する駆動トランジスタにおけるドレイン−ソース間の電圧Ｖｄｓの調整を、図４に示す表示装置１００よりもより細やかに行うことができるので、より効率的に消費電力の低減を図ることができる。
【０１１４】
以上、本発明の実施形態として、表示装置１００、２００、３００を挙げて説明したが、本発明の実施形態は、かかる形態に限られない。例えば、本発明の実施形態は、例えば、有機ＥＬディスプレイなどの電流量に応じて発光する発光素子を備える表示装置や、テレビジョン（Television）放送を受信する受信装置、外部または内部に表示手段を有するＰＣ（Personal  Computer）などのコンピュータ、携帯電話などの携帯型通信装置など、様々な機器に適用することができる。
【０１１５】
また、上記では、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１６】
例えば、図４に示す本発明の実施形態に係る表示装置１００では、入力される映像信号がデジタル信号であるとして説明したが、かかる形態に限られない。例えば、本発明の実施形態に係る表示装置が、例えば、Ａ／Ｄコンバータ（Analog  to  Digital  converter）を備え、入力されるアナログ信号（映像信号）をデジタル信号に変換して、当該変換後の映像信号を処理してもよい。また、本発明の実施形態に係る表示装置は、例えば、各構成要素をアナログ回路で構成することにより、アナログ信号（映像信号）を処理することもできる。
【０１１７】
上述した構成は、本発明の実施形態の一例を示すものであり、当然に、本発明の技術的範囲に属するものである。
【図面の簡単な説明】
【０１１８】
【図１】本発明の実施形態に係る表示装置における消費電力の低減のためのアプローチを説明するための第１の説明図である。
【図２】本発明の実施形態に係る表示装置における消費電力の低減のためのアプローチを説明するための第２の説明図である。
【図３】本発明の実施形態に係る表示装置における消費電力の低減のためのアプローチを説明するための第３の説明図である。
【図４】本発明の実施形態に係る表示装置の構成の一例を示す説明図である。
【図５】本発明の実施形態に係る表示装置が有する画素を構成する画素回路の一例を示す説明図である。
【図６】本発明の実施形態に係る表示装置が有する画素を構成する画素回路の一例を示す説明図である。
【図７】本発明の実施形態に係る表示装置が有する画素を構成する画素回路の一例を示す説明図である。
【図８】本発明の実施形態に係る表示装置が有する画素を構成する画素回路の一例を示す説明図である。
【図９】本発明の実施形態の第１の変形例に係る表示装置の構成の一例を示す説明図である。
【図１０】画素回路の一例を概略的に示す説明図である。
【図１１】画素回路が備える駆動トランジスタにおけるドレイン−ソース間の電圧Ｖｄｓと、発光電流Ｉｄとの関係の一例を示す説明図である。
【符号の説明】
【０１１９】
１００、２００    表示装置
１０２    ピーク検出部
１０４、２０４    調整値設定部
１０６    ゲイン調整部
１０８    駆動電圧供給部
１１０    データドライバ
１１２    スキャンドライバ
１１４    表示パネル
２０２    平均輝度導出部
【図１】
2009282158.tif 000003
【図４】
2009282158.tif 000004
【図５】
2009282158.tif 000005
【図６】
2009282158.tif 000006
【図７】
2009282158.tif 000007
【図８】
2009282158.tif 000008
【図９】
2009282158.tif 000009
【図１０】
2009282158.tif 000010
【図１１】
2009282158.tif 000011
【図２】
2009282158.tif 000012
【図３】
2009282158.tif 000013